(57)【特許請求の範囲】
【請求項１】
移動端末と、回線交換機能部とパケット交換機能部とを有し前記移動端末の位置登録管理をなす移動通信交換装置とを含み、前記移動端末におけるアタッチ処理や位置登録処理に応答して前記移動端末との通信のための無線接続（以下、ＲＲＣ（Ｒａｄｉｏ  Ｒｅｓｏｕｒｃｅ  Ｃｏｎｔｒｏｌ）コネクションと称す）を確立するようにした移動通信システムであって、
前記ＲＲＣコネクション上において、前記回線交換機能部と前記パケット交換機能部との両者に対して、前記アタッチ処理や前記位置登録処理のためのメッセージの送受信をなし、
前記メッセージは、前記移動端末から、前記回線交換機能部への位置情報更新要求信号と、前記パケット交換機能部へのアタッチ処理要求信号とを含むことを特徴とする移動通信システム。
【請求項２】
前記ＲＲＣコネクション上において、前記回線交換機能部と前記パケット交換機能部との両者に対して、同時にあるいは連続して前記アタッチ処理や前記位置登録処理のためのメッセージの送受信をなすようにしたことを特徴とする請求項１に記載の移動通信システム。
【請求項３】
前記メッセージは、前記回線交換機能部から前記移動端末への認証要求信号と、前記パケット交換機能部から前記移動端末への認証及び秘匿要求信号とを含むことを特徴とする請求項１または２に記載の移動通信システム。
【請求項４】
前記メッセージは、前記移動端末から、前記回線交換機能部への前記認証要求信号に対する応答信号と、前記パケット交換機能部への前記認証及び秘匿要求信号に対する応答信号とを含むことを特徴とする請求項３に記載の移動通信システム。
【請求項５】
前記メッセージは、前記回線交換機能部及び前記パケット交換機能部から前記移動端末への秘匿処理要求信号を含むことを特徴とする請求項４に記載の移動通信システム。
【請求項６】
前記メッセージは、前記移動端末から前記回線交換機能部及び前記パケット交換機能部への、前記秘匿処理要求信号に対する秘匿処理完了信号を含むことを特徴とする請求項５に記載の移動通信システム。
【請求項７】
前記メッセージは、前記回線交換機能部から前記移動端末への位置情報更新承認信号と、前記パケット交換機能部から前記移動端末へのアタッチ承認信号とを含むことを特徴とする請求項６に記載の移動通信システム。
【請求項８】
前記メッセージは、前記移動端末から、前記回線交換機能部への移動機番号再割当完了信号と、前記パケット交換機能部へのアタッチ処理完了信号とを含むことを特徴とする請求項７に記載の移動通信システム。
【請求項９】
前記アタッチ処理や前記位置登録処理の完了後に、前記ＲＲＣコネクションの開放をなすようにしたことを特徴とする請求項１〜８いずれかに記載の移動通信システム。
【請求項１０】
前記移動通信交換装置は、前記回線交換機能部と前記パケット交換機能部との間にインタフェースを更に有し、前記移動端末から前記回線交換機能部への前記メッセージを前記パケット交換機能部へのメッセージに含めて送信するようにしたことを特徴とする請求項１〜９いずれかに記載の移動通信システム。
【請求項１１】
前記移動通信交換装置と前記移動端末との間に設けられた無線アクセスネットワーク装置を更に含み、
前記ＲＲＣコネクションは、前記移動端末と前記無線アクセスネットワーク装置との間において確立されることを特徴とする請求項１〜１０いずれかに記載の移動通信システム。
【請求項１２】
移動端末と、回線交換機能部とパケット交換機能部とを有し前記移動端末の位置登録管理をなす移動通信交換装置とを含み、前記移動端末におけるアタッチ処理や位置登録処理に応答して前記移動端末との通信のための無線接続（以下、ＲＲＣ（Ｒａｄｉｏ  Ｒｅｓｏｕｒｃｅ  Ｃｏｎｔｒｏｌ）コネクションと称す）を確立するようにした移動通信システムにおける通信制御方法であって、
前記ＲＲＣコネクション上において、前記回線交換機能部と前記パケット交換機能部との両者に対して、前記アタッチ処理や前記位置登録処理のためのメッセージの送受信をなすメッセージ送受信ステップを含み、
前記メッセージ送受信ステップは、前記移動端末から、前記回線交換機能部へ位置情報更新要求信号と、前記パケット交換機能部へアタッチ処理要求信号とを送信するステップを有することを特徴とする通信制御方法。
【請求項１３】
前記ＲＲＣコネクション上において、前記回線交換機能部と前記パケット交換機能部との両者に対して、同時にあるいは連続して前記アタッチ処理や前記位置登録処理のためのメッセージの送受信をなすメッセージ送受信ステップを含むことを特徴とする請求項１２に記載の通信制御方法。
【請求項１４】
前記メッセージ送受信ステップは、前記回線交換機能部から前記移動端末へ認証要求信号と、前記パケット交換機能部から前記移動端末へ認証及び秘匿要求信号とを送信するステップを有することを特徴とする請求項１２または１３に記載の通信制御方法。
【請求項１５】
前記メッセージ送受信ステップは、前記移動端末から、回線交換機能部へ前記認証要求信号に対する応答信号と、前記パケット交換機能部へ前記認証及び秘匿要求信号に対する応答信号とを送信するステップを有することを特徴とする請求項１４に記載の通信制御方法。
【請求項１６】
前記メッセージ送受信ステップは、前記回線交換機能部及び前記パケット交換機能部から前記移動端末へ秘匿処理要求信号を送信するステップを有することを特徴とする請求項１５に記載の通信制御方法。
【請求項１７】
前記メッセージ送受信ステップは、前記移動端末から前記回線交換機能部及び前記パケット交換機能部へ、前記秘匿処理要求信号に対する秘匿処理完了信号を送信するステップを有することを特徴とする請求項１６に記載の通信制御方法。
【請求項１８】
前記メッセージ送受信ステップは、前記回線交換機能部から前記移動端末へ位置情報更新承認信号と、前記パケット交換機能部から前記移動端末へアタッチ承認信号とを送信するステップを有することを特徴とする請求項１７に記載の通信制御方法。
【請求項１９】
前記メッセージ送受信ステップは、前記移動端末から、前記回線交換機能部へ移動機番号再割当完了信号と、前記パケット交換機能部へアタッチ処理完了信号とを送信するステップを有することを特徴とする請求項１８に記載の通信制御方法。
【請求項２０】
前記アタッチ処理や前記位置登録処理の完了後に、前記ＲＲＣコネクションの開放をなすステップを、更に含むことを特徴とする請求項１２〜１９いずれかに記載の通信制御方法。
【請求項２１】
前記移動通信交換装置は、前記回線交換機能部と前記パケット交換機能部との間にインタフェースを更に有し、前記移動端末から前記回線交換機能部への前記メッセージを前記パケット交換機能部へのメッセージに含めて送信するようにしたことを特徴とする請求項１２〜２０いずれかに記載の通信制御方法。
【請求項２２】
前記移動通信交換装置と前記移動端末との間に設けられた無線アクセスネットワーク装置を更に含み、
前記ＲＲＣコネクションは、前記移動端末と前記無線アクセスネットワーク装置との間において確立されることを特徴とする請求項１２〜２１いずれかに記載の通信制御方法。
【請求項２３】
移動端末と、回線交換機能部とパケット交換機能部とを有し前記移動端末の位置登録管理をなす移動通信交換装置とを含み、前記移動端末におけるアタッチ処理や位置登録処理に応答して前記移動端末との通信のための無線接続（以下、ＲＲＣ（Ｒａｄｉｏ  Ｒｅｓｏｕｒｃｅ  Ｃｏｎｔｒｏｌ）コネクションと称す）を確立するようにした移動通信システムにおける移動端末であって、
前記ＲＲＣコネクション上において、前記回線交換機能部と前記パケット交換機能部との両者に対して、前記アタッチ処理や前記位置登録処理のためのメッセージの送受信をなし、
前記メッセージは、前記回線交換機能部への位置情報更新要求信号と、前記パケット交換機能部へのアタッチ処理要求信号とを含むことを特徴とする移動端末。
【請求項２４】
前記ＲＲＣコネクション上において、前記回線交換機能部と前記パケット交換機能部との両者に対して、同時にあるいは連続して前記アタッチ処理や前記位置登録処理のためのメッセージの送受信をなすようにしたことを特徴とする請求項２３に記載の移動端末。
【請求項２５】
前記メッセージは、前記回線交換機能部から送信された認証要求信号に対する応答信号と、前記パケット交換機能部から送信された認証及び秘匿要求信号に対する応答信号とを含むことを特徴とする請求項２３または２４に記載の移動端末。
【請求項２６】
前記メッセージは、前記回線交換機能部及び前記パケット交換機能部から送信された秘匿処理要求信号に対する秘匿処理完了信号を含むことを特徴とする請求項２５に記載の移動端末。
【請求項２７】
前記メッセージは、前記回線交換機能部から送信された位置情報更新承認信号に対する移動機番号再割当完了信号と、前記パケット交換機能部から送信されたアタッチ承認信号に対するアタッチ処理完了信号とを含むことを特徴とする請求項２６に記載の移動端末。
【請求項２８】
前記アタッチ処理や前記位置登録処理の完了後に、前記ＲＲＣコネクションの開放をなすようにしたことを特徴とする請求項２３〜２７いずれかに記載の移動端末。
【請求項２９】
前記移動通信交換装置が前記回線交換機能部と前記パケット交換機能部との間にインタフェースを有する場合、
前記回線交換機能部への前記メッセージを前記パケット交換機能部へのメッセージに含めて送信するようにしたことを特徴とする請求項２３〜２８いずれかに記載の移動端末。
【請求項３０】
前記ＲＲＣコネクションは、前記移動通信交換装置と前記移動端末との間に設けられた無線アクセスネットワーク装置との間において確立されることを特徴とする請求項２３〜２９いずれかに記載の移動端末。
【請求項３１】
移動端末と、回線交換機能部とパケット交換機能部とを有し前記移動端末の位置登録管理をなす移動通信交換装置とを含み、前記移動端末におけるアタッチ処理や位置登録処理に応答して前記移動端末との通信のための無線接続（以下、ＲＲＣ（Ｒａｄｉｏ  Ｒｅｓｏｕｒｃｅ  Ｃｏｎｔｒｏｌ）コネクションと称す）を確立するようにした移動通信システムにおける移動端末の動作制御をコンピュータに実行させるためのプログラムであって、
前記ＲＲＣコネクション上において、前記回線交換機能部と前記パケット交換機能部との両者に対して、前記アタッチ処理や前記位置登録処理のためのメッセージの送受信をなすメッセージ送受信処理を含み、
前記メッセージ送受信処理は、前記回線交換機能部への位置情報更新要求信号と、前記パケット交換機能部へのアタッチ処理要求信号とを送信する処理を有することを特徴とするプログラム。
【請求項３２】
前記ＲＲＣコネクション上において、前記回線交換機能部と前記パケット交換機能部との両者に対して、同時にあるいは連続して前記アタッチ処理や前記位置登録処理のためのメッセージの送受信をなすメッセージ送受信処理を含むことを特徴とする請求項３１に記載のプログラム。
【請求項３３】
前記メッセージ送受信処理は、前記回線交換機能部から送信された認証要求信号に対する応答信号と、前記パケット交換機能部から送信された認証及び秘匿要求信号に対する応答信号とを送信する処理を有することを特徴とする請求項３１または３２に記載のプログラム。
【請求項３４】
前記メッセージ送受信処理は、前記回線交換機能部及び前記パケット交換機能部から送信された秘匿処理要求信号に対する秘匿処理完了信号を送信する処理を有することを特徴とする請求項３３に記載のプログラム。
【請求項３５】
前記メッセージ送受信処理は、前記回線交換機能部から送信された位置情報更新承認信号に対する移動機番号再割当完了信号と、前記パケット交換機能部から送信されたアタッチ承認信号に対するアタッチ処理完了信号とを送信する処理を有することを特徴とする請求項３４に記載のプログラム。
【請求項３６】
前記アタッチ処理や前記位置登録処理の完了後に、前記ＲＲＣコネクションの開放をなす処理を、更に含むことを特徴とする請求項３１〜３５いずれかに記載のプログラム。
【請求項３７】
前記移動通信交換装置が前記回線交換機能部と前記パケット交換機能部との間にインタフェースを有する場合、
前記回線交換機能部への前記メッセージを前記パケット交換機能部へのメッセージに含めて送信するようにしたことを特徴とする請求項３１〜３６いずれかに記載のプログラム。
【請求項３８】
移動端末と、回線交換機能部とパケット交換機能部とを有し前記移動端末の位置登録管理をなす移動通信交換装置とを含み、前記移動端末におけるアタッチ処理や位置登録処理に応答して前記移動端末との通信のための無線接続（以下、ＲＲＣ（Ｒａｄｉｏ  Ｒｅｓｏｕｒｃｅ  Ｃｏｎｔｒｏｌ）コネクションと称す）を確立するようにした移動通信システムにおける移動端末の制御方法であって、
前記ＲＲＣコネクション上において、前記回線交換機能部と前記パケット交換機能部との両者に対して、前記アタッチ処理や前記位置登録処理のためのメッセージの送受信をなすメッセージ送受信ステップを含み、
前記メッセージ送受信ステップは、前記回線交換機能部への位置情報更新要求信号と、前記パケット交換機能部へのアタッチ処理要求信号とを送信するステップを有することを特徴とする制御方法。
【請求項３９】
前記ＲＲＣコネクション上において、前記回線交換機能部と前記パケット交換機能部との両者に対して、同時にあるいは連続して前記アタッチ処理や前記位置登録処理のためのメッセージの送受信をなすメッセージ送受信ステップを含むことを特徴とする請求項３８に記載の制御方法。
【請求項４０】
前記メッセージ送受信ステップは、前記回線交換機能部から送信された認証要求信号に対する応答信号と、前記パケット交換機能部から送信された認証及び秘匿要求信号に対する応答信号とを送信するステップを有することを特徴とする請求項３８または３９に記載の制御方法。
【請求項４１】
前記メッセージ送受信ステップは、前記回線交換機能部及び前記パケット交換機能部から送信された秘匿処理要求信号に対する秘匿処理完了信号を送信するステップを有することを特徴とする請求項４０に記載の制御方法。
【請求項４２】
前記メッセージ送受信ステップは、前記回線交換機能部から送信された位置情報更新承認信号に対する移動機番号再割当完了信号と、前記パケット交換機能部から送信されたアタッチ承認信号に対するアタッチ処理完了信号とを送信するステップを有することを特徴とする請求項４１に記載の制御方法。
【請求項４３】
前記アタッチ処理や前記位置登録処理の完了後に、前記ＲＲＣコネクションの開放をなすステップを、更に含むことを特徴とする請求項３８〜４２いずれかに記載の制御方法。
【請求項４４】
前記移動通信交換装置が前記回線交換機能部と前記パケット交換機能部との間にインタフェースを有する場合、
前記回線交換機能部への前記メッセージを前記パケット交換機能部へのメッセージに含めて送信するようにしたことを特徴とする請求項３８〜４３いずれかに記載の制御方法。
【発明の詳細な説明】
【０００１】
【発明の属する技術分野】
本発明は、移動通信システム及び通信制御方法並びにこれに用いる移動端末及びその制御方法に関するものであり、特に、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続）方式における移動通信システムおよび通信制御方法並びにこれに用いる移動端末及びその制御方法に関するものである。
【０００２】
【従来の技術】
近年、移動体通信システムは、携帯電話等を中心としてユーザによって有効に利用されている。また咋今では、第３世代移動通信システムとして、ＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎ−２０００）が世界標準規格として提案され、我が国においてはＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続）方式として規定され、その実用化が図られてきている。
【０００３】
Ｗ−ＣＤＭＡ方式は、自動車電話、携帯電話等のセルラシステムにおいて、同一の周波数帯域で複数の移動機（ＵＥ：Ｕｓｅｒ  Ｅｑｕｉｐｍｅｎｔ）が同時に通信を行う際の多元アクセス方式の一つであるＣＤＭＡ（Ｃｏｄｅ  Ｄｉｖｉｓｉｏｎ  Ｍｕｌｔｉｐｌｅ  Ａｃｃｅｓｓ：符号分割多元接続）方式に対して、より広帯域に拡散した方式である。更なる広帯域化を図ることにより、マルチパスの分解能力が向上し受信特性が改善されると共に、同一帯域内で通信できるユーザ数をより一層増やすことができるという利点がある。このＷ−ＣＤＭＡ移動通信システムの構成は、丸善株式会社（平成１３年６月２５日発行）の「Ｗ−ＣＤＭＡ移動通信方式」に開示されており、かかるシステム構成の概略を図４に示す。
【０００４】
図４において、１は移動機（ＵＥ）、２は無線アクセスネットワーク装置（ＲＡＮ：Ｒａｄｉｏ  Ａｃｃｅｓｓ  Ｎｅｔｗｏｒｋ）、３はコアネットワーク（ＣＮ：Ｃｏｒｅ  Ｎｅｔｗｏｒｋ）であり、コアネットワーク（ＣＮ）３は、固定網／移動通信網４とインターネット網５とに夫々接続されている。また、無線アクセスネットワーク装置（ＲＡＮ）２はコアネットワーク（ＣＮ）３に接続されており、無線基地局装置（ＢＴＳ：Ｂａｓｅ  Ｔｒａｎｓｃｅｉｖｅｒ  Ｓｔａｔｉｏｎ）２１と無線ネットワーク制御装置（ＲＮＣ：Ｒａｄｉｏ  Ｎｅｔｗｏｒｋ  Ｃｏｎｔｒｏｌ  ｅｑｕｉｐｍｅｎｔ）２２とを有している。そして、移動機（ＵＥ）１は無線基地局装置（ＢＴＳ）２１と無線接続を行い、無線ネットワーク装置（ＲＮＣ）２２は無線基地局装置（ＢＴＳ）２１を制御している。
【０００５】
更に、コアネットワーク（ＣＮ）３は、固定網／移動通信網４との交換制御を行う回線交換機能部（ＣＳ  ｄｏｍａｉｎ：Ｃｉｒｃｕｉｔ  Ｓｗｉｔｃｈｅｄドメイン）３１と、インターネット網５との交換制御を行うパケット交換機能部（ＰＳ  ｄｏｍａｉｎ：Ｐａｃｋｅｔ  Ｓｗｉｔｃｈｅｄ  ドメイン）３２とを有している。そして、回線交換機能部（ＣＳ  ｄｏｍａｉｎ）３１は、移動通信交換局（ＭＳＣ：Ｍｏｂｉｌｅ−ｓｅｒｖｉｃｅｓ  Ｓｗｉｔｃｈｉｎｇ  Ｃｅｎｔｅｒ）３３とゲートウェイ装置３４とから構成され、パケット交換機能部（ＰＳ  ｄｏｍａｉｎ）３２は、汎用パケット無線サービスノード（ＳＧＳＮ：Ｓｅｒｖｉｎｇ  Ｇｅｎｅｒａｌ  ｐａｃｋｅｔ  ｒａｄｉｏ  ｓｅｒｖｉｃｅＳｕｐｐｏｒｔ  Ｎｏｄｅ）３５とパケットゲートウェイ装置３６とから構成されている。
【０００６】
かかる移動通信システムにおいて、無線基地局装置（ＢＴＳ）２１に対応して形成され移動機（ＵＥ）１の存在する範囲を示す位置登録エリアを予め設定しておき、移動機（ＵＥ）１がどの位置登録エリアにいるかという位置情報を、コアネットワーク（ＣＮ）３内の移動通信交換局（ＭＳＣ）３３や汎用パケット無線サービスノード（ＳＧＳＮ）３５に接続されるホームロケーションレジスタ（ＨＬＲ：Ｈｏｍｅ  Ｌｏｃａｔｉｏｎ  Ｒｅｇｉｓｔｅｒ）（図示ぜず）と呼ばれるデータベース上に記録し、固定網／移動通信網４及びインターネット網５の各通信網に対応した移動管理を行っている。
【０００７】
そして、例えばある位置登録エリア内で初めて移動機（ＵＥ）１の電源をオンした場合や、移動機（ＵＥ）１の電源をオフした状態で移動し、移動前の位置登録エリアと異なるエリアにおいて電源をオンした場合、更には、ある位置登録エリアから異なるエリアへ移動機（ＵＥ）１が移動した場合は、上述した位置情報の登録や更新といった処理を行う必要がある。
【０００８】
かかる位置情報の登録や更新の処理を行う際の動作については、３ＧＰＰ（３ｒｄ  Ｇｅｎｅｒａｔｉｏｎ  Ｐｅｒｔｎｅｒｓｈｉｐ  Ｐｒｏｊｅｃｔｓ）によって標準化された共通仕様”３ＧＰＰ  ＴＳ  ２３シリーズ”で定義されており、かかる仕様に基づき従来の移動通信システムにおける位置情報の登録や更新の動作について説明する。図５は従来の移動通信システムにおけるアタッチ処理、位置登録処理の動作を示すシーケンス図である。図５において、移動機（ＵＥ）１、無線アクセスネットワーク装置（ＲＡＮ）２、移動通信交換局（ＭＳＣ）３３、及び汎用パケット無線サービスノード（ＳＧＳＮ）３５は、夫々図１に示したものと同一のものを示す。なお、アタッチ処理とは、移動機（ＵＥ）１の電源がオンになり、移動機（ＵＥ）１が着信可能状態になったことをネットワーク側（通信網側）へ通知する処理のことをいう。
【０００９】
すなわち、ある位置登録エリア内で初めて移動機（ＵＥ）１の電源をオンした場合や、移動機（ＵＥ）１の電源をオフした状態で移動し、移動前の位置登録エリアと異なるエリアにおいて電源をオンした場合（これ等の動作をまとめて以下「アタッチ要求」という）、あるいは、ある位置登録エリアから異なるエリアへ移動機（ＵＥ）１が移動した場合（この動作を以下「位置登録要求」という）は、固定網／移動通信網４及びインターネット網５の各通信網に対応した移動管理の位置情報の内容を夫々更新する必要がある。
【００１０】
図５において、まず、ステップ（以下「Ｓ」という）５０の処理において、移動機（ＵＥ）１と無線アクセスネットワーク装置（ＲＡＮ）２との間において、無線通信のための接続であるＲＲＣ（Ｒａｄｉｏ  Ｒｅｓｏｕｒｃｅ  Ｃｏｎｔｒｏｌ）コネクションを確立する。これは、ＯＳＩ（Ｏｐｅｎ  ＳｙｓｔｅｍｓＩｎｔｅｒｃｏｎｎｅｃｔｉｏｎ）モデルで定義されたレイヤ３（ネットワーク層）における移動機（ＵＥ）１と無線アクセスネットワーク装置（ＲＡＮ）２との間における無線インタフェースを司るプロトコル（通信規約）であり、移動機（ＵＥ）１と無線アクセスネットワーク装置（ＲＡＮ）２との間における無線通信のための接続を意味する。
【００１１】
ＲＲＣコネクション確立処理は、移動機（ＵＥ）１の上位レイヤからの要求若しくは通信網側からの呼び出し要求により起動されるが、移動機（ＵＥ）１の上位レイヤからの要求による場合は、移動機（ＵＥ）１から無線アクセスネットワーク装置（ＲＡＮ）２に対するＲＲＣコネクション要求信号、無線アクセスネットワーク装置（ＲＡＮ）２から移動機（ＵＥ）１に対するＲＲＣコネクション設定信号、及び移動機（ＵＥ）１から無線アクセスネットワーク装置（ＲＡＮ）２に対するＲＲＣコネクション設定完了信号により起動されることになる。
【００１２】
次に、Ｓ５１の処理で、移動機（ＵＥ）１から移動通信交換局（ＭＳＣ）３３、すなわち固定網／移動通信網４の回線交換機能を有する回線交換機能部（ＣＳ  ｄｏｍａｉｎ）３１に対して、Ｉｎｉｔｉａｌ  Ｄｉｒｅｃｔ  Ｔｒａｎｓｆｅｒ［ＣＳ  ｄｏｍａｉｎ］（位置情報更新要求）信号を送信し、固定網／移動通信網４における移動管理の位置情報の内容を更新するよう要求する。そして、Ｓ５２の処理で、移動通信交換局（ＭＳＣ）３３から移動機（ＵＥ）１に対して、Ｄｏｗｎｌｉｎｋ  Ｄｉｒｅｃｔ  Ｔｒａｎｓｆｅｒ（位置情報更新承認）信号を送信し、固定網／移動通信網４における移動管理の位置情報の内容を更新した旨の応答がなされる。
【００１３】
その後、Ｓ５３の処理において、無線アクセスネットワーク装置（ＲＡＮ）２から移動機（ＵＥ）１に対してＲＲＣ  ｃｏｎｎｅｃｔｉｏｎ  ｒｅｌｅａｓｅ（ＲＲＣコネクション解放）信号が送信され、これを受けた移動機（ＵＥ）１は、Ｓ５４の処理において、無線アクセスネットワーク装置（ＲＡＮ）２に対してＲＲＣ  ｃｏｎｎｅｃｔｉｏｎ  ｒｅｌｅａｓｅ  ｃｏｍｐｌｅｔｅ（ＲＲＣコネクション解放完了）信号を送信し、移動機（ＵＥ）１と無線アクセスネットワーク装置（ＲＡＮ）２は一度待ち受け状態に移行する。
【００１４】
次に、インターネット網５における移動管理の位置情報の内容を更新するため、Ｓ５５の処理において、再度移動機（ＵＥ）１と無線アクセスネットワーク装置（ＲＡＮ）２との間において、無線通信のための接続であるＲＲＣコネクションを確立する。そして、Ｓ５６の処理で、移動機（ＵＥ）１から汎用パケット無線サービスノード（ＳＧＳＮ）３５、すなわちインターネット網５のパケット交換機能を有するパケット交換機能部（ＰＳ  ｄｏｍａｉｎ）３２に対して、Ｉｎｉｔｉａｌ  Ｄｉｒｅｃｔ  Ｔｒａｎｓｆｅｒ［ＰＳ  ｄｏｍａｉｎ］（アタッチ処理要求）信号を送信し、インターネット網５における移動管理の位置情報の内容を更新するよう要求する。そして、Ｓ５７の処理で、汎用パケット無線サービスノード（ＳＧＳＮ）３５から移動機（ＵＥ）１に対して、ＤｏｗｎｌｉｎｋＤｉｒｅｃｔ  Ｔｒａｎｓｆｅｒ（アタッチ承認）信号を送信し、インターネット網５における移動管理の位置情報の内容を更新した旨の応答がなされる。
【００１５】
その後、Ｓ５８の処理において、無線アクセスネットワーク装置（ＲＡＮ）２から移動機（ＵＥ）１に対してＲＲＣ  ｃｏｎｎｅｃｔｉｏｎ  ｒｅｌｅａｓｅ（ＲＲＣコネクション解放）信号が送信され、これを受けた移動機（ＵＥ）１は、Ｓ５９の処理において、無線アクセスネットワーク装置（ＲＡＮ）２に対してＲＲＣ  ｃｏｎｎｅｃｔｉｏｎ  ｒｅｌｅａｓｅ  ｃｏｍｐｌｅｔｅ（ＲＲＣコネクション解放完了）信号を送信し、移動機（ＵＥ）１と無線アクセスネットワーク装置（ＲＡＮ）２は共に待ち受け状態に移行する。
【００１６】
このように、上記従来の移動通信システムにおいては、アタッチ要求や位置登録要求が固定網／移動通信網４（回線交換機能部３１（ＣＳ  ｄｏｍａｉｎ））における移動管理及びインターネット網５（パケット交換機能部３２（ＰＳ  ｄｏｍａｉｎ））における移動管理で同時に発生しても、移動機（ＵＥ）１と無線アクセスネットワーク装置（ＲＡＮ）２との間に確立されたＲＲＣコネクション上においては、一方の交換機能部（ｄｏｍａｉｎ）における移動管理の内容を更新するのみで、この更新処理が終了すればＲＲＣコネクションを一旦解放する。そして、再度移動機（ＵＥ）１と無線アクセスネットワーク装置（ＲＡＮ）２との間にＲＲＣコネクションを確立し、もう一方の交換機能部（ｄｏｍａｉｎ）における移動管理の内容を更新し、更新処理が終了すればＲＲＣコネクションを解放する。すなわち、ＲＲＣコネクション上では一つの交換機能部（ｄｏｍａｉｎ）における移動管理の位置情報の更新処理を行っている。
【００１７】
【発明が解決しようとする課題】
しかしながら、上記従来の移動通信システムにおいては、移動機（ＵＥ）１と無線アクセスネットワーク装置（ＲＡＮ）２とのＲＲＣコネクションの確立がなされる度毎に各交換機能部（ｄｏｍａｉｎ）毎の移動管理の位置情報の更新処理、具体的にはＩＭＳＩ（Ｉｎｔｅｒｎａｔｉｏｎａｌ  Ｍｏｂｉｌｅ  Ｓｕｂｓｃｒｉｖｅｒ  Ｉｄｅｎｔｉｔｙ：国際移動機体番号）や、ＧＰＲＳ（Ｇｅｎｅｒａｌ  Ｐａｃｋｅｔ  Ｒａｔｉｏ  Ｓｅｒｖｉｃｅ：汎用パケット無線サービス）の位置登録処理を個別に行っているため、位置情報の更新処理が頻繁になされることになる。従って、位置情報の更新処理を行っている間、移動機（ＵＥ）１と無線アクセスネットワーク（ＲＡＮ）２との間の通信頻度が増加し電波、すなわち資源を効率的に利用することができないという問題があった。
【００１８】
特に、上記問題点は位置登録エリアの大きさによっても顕著に現れることになる。すなわち、上述した位置登録エリアは無線基地局装置（ＢＴＳ）２１のサービスエリア全体とすることも、最小のセル単位とすることも理論的には可能である。かかる場合、移動機（ＵＥ）１の位置登録エリアをあまり狭く設定すると、移動機（ＵＥ）１が位置登録エリアを移動する割合（頻度）が増え、移動機（ＵＥ）１からアタッチ要求や位置登録要求が頻繁に発出されることになり、結果的にコアネットワーク（ＣＮ）３における位置情報の更新処理が増加する。従って、上記従来の移動通信システムように、ＲＲＣコネクションの確立がなされる度毎に位置情報の更新処理が個別に行われる場合、移動機（ＵＥ）１と無線アクセスネットワーク装置（ＲＡＮ）２との間に通信頻度が増大し、トラヒックが混雑するという問題がある。
【００１９】
更に、移動機（ＵＥ）１は無線基地局装置（ＢＴＳ）２１から送出される制御信号の受信電界レベルを測定し、電波が到達するエリア内に居るか否かの判定を行っており、異なる無線基地局装置（ＢＴＳ）２１が夫々形成するエリアの境界付近で制御信号の受信電界レベルが入り組んでいると、その部分を通り抜ける（通過する）移動機（ＵＥ）１が無線基地局装置（ＢＴＳ）２１の重複する位置登録エリアに移動したと判断してしまい、次々に位置登録要求を発出してしまうことになる。かかる場合、従来の移動通信システムのように、ＲＲＣコネクションの確立がなされる度毎に位置情報の更新処理が個別に行われると、移動機（ＵＥ）１と無線アクセスネットワーク装置（ＲＡＮ）２との通信頻度が増加し、資源の無駄遣いとなる。
【００２０】
そこで、本発明はかかる従来技術の問題点を解決すべくなされたものであって、その目的とするところは、移動機と無線アクセスネットワーク装置との間で一度確立されたＲＲＣコネクション上で、回線交換機能部における移動管理の位置情報の更新とパケット交換機能部における移動管理の位置情報の更新とを同時に行うことにより、アタッチ処理や位置登録処理の時間短縮とトラヒックの混雑緩和を図り、資源を有効的に利用することができる移動通信システム及び通信制御方法並びにこれに用いる移動端末及びその制御方法を提供することにある。
【００２１】
【課題を解決するための手段】
本発明によれば、移動端末と、回線交換機能部とパケット交換機能部とを有し前記移動端末の位置登録管理をなす移動通信交換装置とを含み、前記移動端末におけるアタッチ処理や位置登録処理に応答して前記移動端末との通信のための無線接続（以下、ＲＲＣ（Ｒａｄｉｏ  Ｒｅｓｏｕｒｃｅ  Ｃｏｎｔｒｏｌ）コネクションと称す）を確立するようにした移動通信システムであって、前記ＲＲＣコネクション上において、前記回線交換機能部と前記パケット交換機能部との両者に対して、前記アタッチ処理や前記位置登録処理のためのメッセージの送受信をなし、前記メッセージは、前記移動端末から、前記回線交換機能部への位置情報更新要求信号と、前記パケット交換機能部へのアタッチ処理要求信号とを含むことを特徴とする移動通信システムが得られる。
【００２２】
そして、前記ＲＲＣコネクション上において、前記回線交換機能部と前記パケット交換機能部との両者に対して、同時にあるいは連続して前記アタッチ処理や前記位置登録処理のためのメッセージの送受信をなすようにしたことを特徴とする。
【００２４】
そして、前記メッセージは、前記回線交換機能部から前記移動端末への認証要求信号と、前記パケット交換機能部から前記移動端末への認証及び秘匿要求信号とを含むことを特徴とする。
【００２５】
更に、前記メッセージは、前記移動端末から、前記回線交換機能部への前記認証要求信号に対する応答信号と、前記パケット交換機能部への前記認証及び秘匿要求信号に対する応答信号とを含むことを特徴とする。
【００２６】
そして、前記メッセージは、前記回線交換機能部及び前記パケット交換機能部から前記移動端末への秘匿処理要求信号を含むことを特徴とする。
【００２７】
更に、前記メッセージは、前記移動端末から前記回線交換機能部及び前記パケット交換機能部への、前記秘匿処理要求信号に対する秘匿処理完了信号を含むことを特徴とする。
【００２８】
また、前記メッセージは、前記回線交換機能部から前記移動端末への位置情報更新承認信号と、前記パケット交換機能部から前記移動端末へのアタッチ承認信号とを含むことを特徴とする。
【００２９】
そして、前記メッセージは、前記移動端末から、前記回線交換機能部への移動機番号再割当完了信号と、前記パケット交換機能部へのアタッチ処理完了信号とを含むことを特徴とする。
【００３０】
更に、前記アタッチ処理や前記位置登録処理の完了後に、前記ＲＲＣコネクションの開放をなすようにしたことを特徴とする。
【００３１】
また、前記移動通信交換装置は、前記回線交換機能部と前記パケット交換機能部との間にインタフェースを更に有し、前記移動端末から前記回線交換機能部への前記メッセージを前記パケット交換機能部へのメッセージに含めて送信するようにしたことを特徴とする。
【００３２】
そして、前記移動通信交換装置と前記移動端末との間に設けられた無線アクセスネットワーク装置を更に含み、前記ＲＲＣコネクションは、前記移動端末と前記無線アクセスネットワーク装置との間において確立されることを特徴とする。
【００３３】
また、本発明によれば、移動端末と、回線交換機能部とパケット交換機能部とを有し前記移動端末の位置登録管理をなす移動通信交換装置とを含み、前記移動端末におけるアタッチ処理や位置登録処理に応答して前記移動端末との通信のための無線接続（以下、ＲＲＣ（Ｒａｄｉｏ  Ｒｅｓｏｕｒｃｅ  Ｃｏｎｔｒｏｌ）コネクションと称す）を確立するようにした移動通信システムにおける通信制御方法であって、前記ＲＲＣコネクション上において、前記回線交換機能部と前記パケット交換機能部との両者に対して、前記アタッチ処理や前記位置登録処理のためのメッセージの送受信をなすメッセージ送受信ステップを含み、前記メッセージ送受信ステップは、前記移動端末から、前記回線交換機能部へ位置情報更新要求信号と、前記パケット交換機能部へアタッチ処理要求信号とを送信するステップを有することを特徴とする通信制御方法が得られる。
【００３４】
そして、本発明によれば、移動端末と、回線交換機能部とパケット交換機能部とを有し前記移動端末の位置登録管理をなす移動通信交換装置とを含み、前記移動端末におけるアタッチ処理や位置登録処理に応答して前記移動端末との通信のための無線接続（以下、ＲＲＣ（Ｒａｄｉｏ  Ｒｅｓｏｕｒｃｅ  Ｃｏｎｔｒｏｌ）コネクションと称す）を確立するようにした移動通信システムにおける移動端末であって、前記ＲＲＣコネクション上において、前記回線交換機能部と前記パケット交換機能部との両者に対して、前記アタッチ処理や前記位置登録処理のためのメッセージの送受信をなし、前記メッセージは、前記回線交換機能部への位置情報更新要求信号と、前記パケット交換機能部へのアタッチ処理要求信号とを含むことを特徴とする移動端末が得られる。
【００３５】
また、本発明によれば、移動端末と、回線交換機能部とパケット交換機能部とを有し前記移動端末の位置登録管理をなす移動通信交換装置とを含み、前記移動端末におけるアタッチ処理や位置登録処理に応答して前記移動端末との通信のための無線接続（以下、ＲＲＣ（Ｒａｄｉｏ  Ｒｅｓｏｕｒｃｅ  Ｃｏｎｔｒｏｌ）コネクションと称す）を確立するようにした移動通信システムにおける移動端末の動作制御をコンピュータに実行させるためのプログラムであって、前記ＲＲＣコネクション上において、前記回線交換機能部と前記パケット交換機能部との両者に対して、前記アタッチ処理や前記位置登録処理のためのメッセージの送受信をなすメッセージ送受信処理を含み、前記メッセージ送受信処理は、前記回線交換機能部への位置情報更新要求信号と、前記パケット交換機能部へのアタッチ処理要求信号とを送信する処理を有することを特徴とするプログラムが得られる。
【００３６】
更に、本発明によれば、移動端末と、回線交換機能部とパケット交換機能部とを有し前記移動端末の位置登録管理をなす移動通信交換装置とを含み、前記移動端末におけるアタッチ処理や位置登録処理に応答して前記移動端末との通信のための無線接続（以下、ＲＲＣ（Ｒａｄｉｏ  Ｒｅｓｏｕｒｃｅ  Ｃｏｎｔｒｏｌ）コネクションと称す）を確立するようにした移動通信システムにおける移動端末の制御方法であって、前記ＲＲＣコネクション上において、前記回線交換機能部と前記パケット交換機能部との両者に対して、前記アタッチ処理や前記位置登録処理のためのメッセージの送受信をなすメッセージ送受信ステップを含み、前記メッセージ送受信ステップは、前記回線交換機能部への位置情報更新要求信号と、前記パケット交換機能部へのアタッチ処理要求信号とを送信するステップを有することを特徴とする制御方法が得られる。
【００３７】
本発明の作用を述べる。移動機においてアタッチ処理や位置登録処理が発生し、回線交換機能部及びパケット交換機能部における移動管理の位置情報を更新するにあたり、移動機と無線アクセスネットワーク装置との間で確立されたＲＲＣコネクション上で、移動機からコアネットワークに対して、回線交換機能部とパケット交換機能部との両者に対してアタッチ処理や位置登録処理のメッセージを夫々送信する。これにより、一度確立されたＲＲＣコネクション上で両交換機能部における移動管理の位置情報の更新処理を同時に行うことが可能となり、アタッチ処理や位置登録処理の時間短縮とトラヒックの混雑緩和が図られる。この時、回線交換機能部とパケット交換機能部との両者に対する上記メッセージの送信は、ＲＲＣコネクション上で同時に行っても良く、また時間的に連続して行っても良いものである。
【００３８】
【発明の実施の形態】
以下に、添付図面を参照しつつ本発明の実施の形態について説明する。本発明におけるＷ−ＣＤＭＡ移動通信システムの構成において、図４に示す無線アクセスネットワーク装置（ＲＡＮ）２、コアネットワーク（ＣＮ）３、固定網／移動通信網４、及びインターネット網５については、上述した従来の移動通信システムの場合と基本的に同様であるため、この部分についての重複した説明は省略する。また、本発明における移動通信システムにおける移動機（ＵＥ）１について、その内部構成を図１に示す。
【００３９】
図１において、移動機（ＵＥ）１は、電源入力手段１０１と、全体の制御をなすためのＣＰＵ（Ｃｅｎｔｒａｌ  Ｐｒｏｃｅｓｓｉｎｇ  Ｕｎｉｔ：中央演算処理装置）１０２と、メモリ１０３と、ＲＲＣコネクション確立／解放手段１０４と、位置情報更新要求信号生成手段１０５と、アタッチ処理要求信号生成手段１０６と、認証応答信号生成手段１０７と、秘匿応答信号生成手段１０８と、セキュリティーモード完了信号生成手段１０９と、移動機体番号再割当完了信号生成手段１１０と、アタッチ処理完了信号生成手段１１１とから構成されている。なお、図１において、無線基地局装置（ＢＴＳ）２１とのＷ−ＣＤＭＡ通信のための無線送受信部、ダイアルあるいは機能選択等のための操作部、及び表示部についてはその記載を省略している。
【００４０】
そして、これ等ＲＲＣコネクション確立／解放手段１０４、位置情報更新要求信号生成手段１０５、アタッチ処理要求信号生成手段１０６、認証応答信号生成手段１０７、秘匿応答信号生成手段１０８、セキュリティーモード完了信号生成手段１０９、移動機体番号再割当完了信号生成手段１１０、アタッチ処理完了信号生成手段１１１は全てＣＰＵ１０２によってその動作が制御されている。
【００４１】
次に、本発明における移動通信システムの動作について詳細に説明する。図２及び図３は、本発明の実施の一形態における移動通信システムのアタッチ処理、位置登録処理の動作を示すシーケンス図である。図２及び図３において、移動機（ＵＥ）１、無線アクセスネットワーク装置（ＲＡＮ）２、及びコアネットワーク（ＣＮ）３は、図４に示した移動通信システムのものと同一のものを指す。
【００４２】
なお、ここでアタッチ処理とは上述したように、移動機（ＵＥ）１の電源がオンになり、移動機（ＵＥ）１が着信可能状態になったことをネットワーク側（通信網側）、具体的にはコアネットワーク（ＣＮ）３へ通知する処理のことをいい、位置登録処理とは、移動機（ＵＥ）１が存在している位置登録エリアの位置情報を、移動管理を行っているコアネットワーク（ＣＮ）３へ通知する処理のことをいう。
【００４３】
すなわち、図２及び図３は、移動機（ＵＥ）１においてアタッチ処理や位置登録処理が発生し、固定網／移動通信網４の交換機能を有する回線交換機能部（ＣＳ  ｄｏｍａｉｎ）３１と、インターネット網５の交換機能を有するパケット交換機能部（ＰＳ  ｄｏｍａｉｎ）３２とにおける移動管理の位置情報の更新を同時に行う場合の動作を示したものである。
【００４４】
図２において、まずＳ３０１の処理において、図１に示した電源入力手段１０１により移動機（ＵＥ）１の電源が投入されると、ＣＰＵ１０２に対してその旨通知され、Ｓ３０２の処理において、移動機（ＵＥ）１の初期処理が開始される。これによりアタッチ処理が開始され、移動機（ＵＥ）１のＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ：国際移動機体番号）を無線アクセスネットワーク装置（ＲＡＮ）２へ通知する準備を行う。この間、移動機（ＵＥ）１はアイドル状態にある。
【００４５】
次に、Ｓ３０３の処理において、ＲＲＣコネクション確立／解放手段１０４によって移動機（ＵＥ）１と無線アクセスネットワーク装置（ＲＡＮ）２との間に上述した無線通信のための接続であるＲＲＣコネクションの確立処理がなされ、Ｓ３０４の処理において、移動機（ＵＥ）１においてＲＲＣコネクションが確立される。すなわち、移動機（ＵＥ）１と無線アクセス装置（ＲＡＮ）２との間で無線インタフェースが確立されることにより、移動機（ＵＥ）１とコアネットワーク（ＣＮ）３との間でメッセージの送受信が可能な状態となる。
【００４６】
そして、Ｓ３０５の処理において、まず移動機（ＵＥ）１からコアネットワーク（ＣＮ）３内の移動通信交換局（ＭＳＣ）３３、すなわち固定網／移動通信網４の回線交換機能を有する回線交換機能部（ＣＳ  ｄｏｍａｉｎ）３１に対して、位置情報更新要求信号生成手段１０５によって生成されたＩｎｉｔｉａｌ  Ｄｉｒｅｃｔ  Ｔｒａｎｓｆｅｒ（Ｌｏｃａｔｉｏｎ  ｕｐｄａｔｉｎｇ  ｒｅｑｕｅｓｔ［ＣＳ  ｄｏｍａｉｎ］：位置情報更新要求）信号が送信される。
【００４７】
次に、Ｓ３０６の処理において、移動機（ＵＥ）１からコアネットワーク（ＣＮ）３内の汎用パケット無線サービスノード（ＳＧＳＮ）３５、すなわちインターネット網５のパケット交換機能を有するパケット交換機能部（ＰＳ  ｄｏｍａｉｎ）３２に対して、アタッチ処理要求信号生成手段１０６によって生成されたＩｎｉｔｉａｌ  Ｄｉｒｅｃｔ  Ｔｒａｎｓｆｅｒ（Ａｔｔａｃｈ  ｒｅｑｕｅｓｔ［ＰＳ  ｄｏｍａｉｎ］：アタッチ処理要求）信号が送信される。
【００４８】
そして、Ｓ３０７の処理において、コアネットワーク（ＣＮ）３内の移動通信交換局（ＭＳＣ）３３から移動機（ＵＥ）１に対してＤｏｗｎｌｉｎｋ  Ｄｉｒｅｃｔ  Ｔｒａｎｓｆｅｒ（Ａｕｔｈｅｎｔｉｃａｔｉｏｎ  ｒｅｑｕｅｓｔ［ＣＳ  ｄｏｍａｉｎ］：認証要求）信号が送信され、これに応答して、Ｓ３０８の処理では、移動機（ＵＥ）１において認証処理が行われ、回線交換機能部（ＣＳ  ｄｏｍａｉｎ）３１における認証鍵であるＩＫ／ＣＫ（Ｉｎｔｅｇｒｉｔｙ  Ｋｅｙ／Ｃｉｐｈｅｒ  Ｋｅｙ：不正改ざんチェック用鍵／暗号鍵）が生成される。
【００４９】
次に、Ｓ３０９の処理において、コアネットワーク（ＣＮ）３内の汎用パケット無線サービスノード（ＳＧＳＮ）３５から移動機（ＵＥ）１に対してＤｏｗｎｌｉｎｋ  Ｄｉｒｅｃｔ  Ｔｒａｎｓｆｅｒ（Ａｕｔｈｅｎｔｉｃａｔｉｏｎ  ａｎｄ  ｃｉｐｈｅｒｉｎｇ  ｒｅｑｕｅｓｔ［ＰＳ  ｄｏｍａｉｎ］：認証及び秘匿要求）信号が送信され、これに応答して、Ｓ３１０の処理では、移動機（ＵＥ）１において認証処理が行われ、パケット交換機能部（ＰＳ  ｄｏｍａｉｎ）３２における認証鍵であるＩＫＰＳ／ＣＫＰＳ（Ｉｎｔｅｇｒｉｔｙ  Ｋｅｙ  Ｐａｃｋｅｔ  Ｓｗｉｔｃｈｅｄ／Ｃｉｐｈｅｒ  Ｋｅｙ  Ｐａｃｋｅｔ  Ｓｗｉｔｃｈｅｄ：不正改ざんチェック用鍵／暗号鍵）が生成される。
【００５０】
そして、移動機（ＵＥ）１においてこれ等認証鍵の生成がなされると、Ｓ３１１の処理において、移動機（ＵＥ）１から移動通信交換局（ＭＳＣ）３３に対して、認証応答信号生成手段１０７によって生成されたＵｐｌｉｎｋ  Ｄｉｒｅｃｔ  Ｔｒａｎｓｆｅｒ（Ａｕｔｈｅｎｔｉｃａｔｉｏｎ  ｒｅｓｐｏｎｓｅ［ＣＳ  ｄｏｍａｉｎ］：認証応答）信号が送信され、Ｓ３１２の処理において、移動機（ＵＥ）１から汎用パケット無線サービスノード（ＳＧＳＮ）３５に対して、認証応答信号生成手段１０７と秘匿応答信号生成手段１０８とによって夫々生成されたＵｐｌｉｎｋ  Ｄｉｒｅｃｔ  Ｔｒａｎｓｆｅｒ（Ａｕｔｈｅｎｔｉｃａｔｉｏｎ  ａｎｄ  ｃｉｐｈｅｒｉｎｇ  ｒｅｓｐｏｎｓｅ［ＰＳ  ｄｏｍａｉｎ］：認証及び秘匿応答）信号が送信される。その後、Ｓ３１３及びＳ３１４の処理において、移動通信交換局（ＭＳＣ）３３及び汎用パケット無線サービスノード（ＳＧＳＮ）３５の夫々から移動機（ＵＥ）１に対してＳｅｃｕｒｉｔｙ  ｍｏｄｅ  ｃｏｍｍａｎｄ（秘匿処理要求）信号が送信される。
【００５１】
次に、Ｓ３１５の処理において、移動機（ＵＥ）１から移動通信交換局（ＭＳＣ）３３に対して、セキュリティーモード完了信号生成手段１０９によって生成されたＳｅｃｕｒｉｔｙ  ｍｏｄｅ  ｃｏｍｐｌｅｔｅ［ＣＳ  ｄｏｍａｉｎ］（秘匿処理完了）信号が送信され、これに応答して、Ｓ３１６の処理では、移動機（ＵＥ）１において秘匿処理が開始され、回線交換機能部（ＣＳ  ｄｏｍａｉｎ）３１において待ち受け処理後に使用する秘匿鍵が生成される。
【００５２】
更に、Ｓ３１７の処理において、移動機（ＵＥ）１から汎用パケット無線サービスノード（ＳＧＳＮ）３５に対して、セキュリティーモード完了信号生成手段１０９によって生成されたＳｅｃｕｒｉｔｙ  ｍｏｄｅ  ｃｏｍｐｌｅｔｅ［ＰＳ  ｄｏｍａｉｎ］（秘匿処理完了）信号が送信され、これに応答して、Ｓ３１８の処理では、移動機（ＵＥ）１において秘匿処理が開始され、パケット交換機能（ＰＳ  ｄｏｍａｉｎ）部３２において待ち受け処理後に使用する秘匿鍵が生成される。
【００５３】
そして、Ｓ３１９の処理において、移動通信交換局（ＭＳＣ）３３から移動機（ＵＥ）１に対してＤｏｗｎｌｉｎｋ  Ｄｉｒｅｃｔ  Ｔｒａｎｓｆｅｒ（Ｌｏｃａｔｉｏｎ  ｕｐｄａｔｉｎｇ  ａｃｃｅｐｔ［ＣＳ  ｄｏｍａｉｎ］：位置情報更新承認）信号が送信され、これに応答して、Ｓ３２０の処理では、移動機（ＵＥ）１において移動機体番号の更新処理が行われ、回線交換機能部（ＣＳ  ｄｏｍａｉｎ）３１において割り当てられるユーザの識別用の移動機体番号であるＴＭＳＩ（Ｔｅｍｐｏｒａｌｌｙ  Ｍｏｂｉｌｅ  Ｓｕｂｓｃｒｉｂｅｒ  Ｉｄｅｎｔｉｔｙ）を更新する。
【００５４】
更に、Ｓ３２１の処理において、汎用パケット無線サービスノード（ＳＧＳＮ）３５から移動機（ＵＥ）１に対してＤｏｗｎｌｉｎｋ  Ｄｉｒｅｃｔ  Ｔｒａｎｓｆｅｒ（Ａｔｔａｃｈ  ａｃｃｅｐｔ［ＰＳ  ｄｏｍａｉｎ］：アタッチ承認）信号が送信され、これに応答して、Ｓ３２２の処理では、移動機（ＵＥ）１において移動機体番号の更新処理が行われ、パケット交換機能部（ＰＳ  ｄｏｍａｉｎ）３２において割り当てられるユーザの識別用の移動機体番号であるＰ−ＴＭＳＩ（Ｐａｃｋｅｔ  ｓｗｉｔｃｈｅｄ−Ｔｅｍｐｏｒａｌｌｙ  Ｍｏｂｉｌｅ  Ｓｕｂｓｃｒｉｂｅｒ  Ｉｄｅｎｔｉｔｙ）を更新する。
【００５５】
そして、移動機（ＵＥ）１においてこれ等移動機体番号の更新がなされると、Ｓ３２３の処理において、移動機（ＵＥ）１から移動通信交換局（ＭＳＣ）３３に対して、移動機体番号再割当完了信号生成手段１１０によって生成されたＵｐｌｉｎｋ  Ｄｉｒｅｃｔ  Ｔｒａｎｓｆｅｒ（ＴＭＳＩ  ｒｅａｌｌｏｃａｔｉｏｎ  ｃｏｍｐｌｅｔｅ［ＣＳ  ｄｏｍａｉｎ］：通信網によって割り当てられた移動機体番号の再割当完了）信号が送信され、Ｓ３２４の処理において、移動機（ＵＥ）１から汎用パケット無線サービスノード（ＳＧＳＮ）３５に対して、アタッチ処理完了信号生成手段１１１によって生成されたＵｐｌｉｎｋ  Ｄｉｒｅｃｔ  Ｔｒａｎｓｆｅｒ（Ａｔｔａｃｈ  ｃｏｍｐｌｅｔｅ［ＰＳ  ｄｏｍａｉｎ］：アタッチ処理完了）信号が送信される。これにより、移動機（ＵＥ）１で発生したアタッチ処理や位置登録処理に対する回線交換機能部（ＣＳ  ｄｏｍａｉｎ）３１とパケット交換機能部（ＰＳ  ｄｏｍａｉｎ）３２とにおける移動管理の位置情報の更新処理が終了する。
【００５６】
その後、Ｓ３２５の処理において、無線アクセスネットワーク装置（ＲＡＮ）２から移動機（ＵＥ）１に対してＲＲＣ  ｃｏｎｎｅｃｔｉｏｎ  ｒｅｌｅａｓｅ（ＲＲＣコネクション解放）信号が送信され、これを受けた移動機（ＵＥ）１は、Ｓ３２６の処理において、ＲＲＣコネクション確立／解放手段１０４によって生成されたＲＲＣ  ｃｏｎｎｅｃｔｉｏｎ  ｒｅｌｅａｓｅ  ｃｏｍｐｌｅｔｅ（ＲＲＣコネクション解放完了）信号を無線アクセスネットワーク装置（ＲＡＮ）２に対して送信し、Ｓ３２７の処理において、移動機（ＵＥ）１と無線アクセスネットワーク装置（ＲＡＮ）２とは共に待ち受け状態に移行する。
【００５７】
以上説明したように、本発明における移動通信システムにおいては、移動機（ＵＥ）においてアタッチ処理や位置登録処理が発生し、回線交換網とパケット交換網とにおける移動管理の位置情報を更新するに際して、移動機（ＵＥ）と無線アクセスネットワーク装置（ＲＡＮ）との間で確立された一度のＲＲＣコネクション上で各通信網の交換機能部宛に夫々アタッチ処理や位置登録処理のメッセージを送信することで、各通信網における移動管理の位置情報の更新処理時間の短縮化を図っているのである。
【００５８】
なお、上述した図２及び図３において、移動機（ＵＥ）１において行われる全ての処理は、移動機（ＵＥ）１内のＣＰＵ１０２によって制御されており、これら全ての処理を行うプログラムは、ＣＰＵ１０２によって読取り可能な状態で移動機（ＵＥ）１内のメモリ１０３に予め格納されている。
【００５９】
また、図２及び図３において、移動機（ＵＥ）１からコアネットワーク（ＣＮ）３に対して送信するメッセージ、あるいはコアネットワーク（ＣＮ）３から移動機（ＵＥ）１に対して送信するメッセージにおいて、回線交換機能部（ＣＳ  ｄｏｍａｉｎ）３１における信号を送信した後に、パケット交換機能部（ＰＳ  ｄｏｍａｉｎ）３２における信号を送信することとしているが、本発明はこれに限定されるものではなく、先にパケット交換機能部（ＰＳ  ｄｏｍａｉｎ）３２における信号を送信した後に、回線交換機能部（ＣＳ  ｄｏｍａｉｎ）３１における信号を送信することも可能である。
【００６０】
ところで、移動機（ＵＥ）と無線アクセスネットワーク装置（ＲＡＮ）との間で確立されたＲＲＣコネクション上では、通信網（コアネットワーク（ＣＮ））側からエリア内に存在する全ての移動機（ＵＥ）に対して報知情報が通知されており、これはＳｙｓｔｅｍ  Ｉｎｆｏｒｍａｔｉｏｎ（システム情報）と呼ばれている。このＳｙｓｔｅｍ  Ｉｎｆｏｒｍａｔｉｏｎには、Ｓｙｓｔｅｍ  Ｉｎｆｏｒｍａｔｉｏｎ  ｅｌｅｍｅｎｔ（システム情報要素）が含まれており、この中にはＮＭＯ（Ｎｅｔｗｏｒｋ  Ｍｏｄｅ  ｏｆ  Ｏｐｅｒａｔｉｏｎ：移動通信交換局（ＭＳＣ）３３と汎用パケット無線サービスノード（ＳＧＳＮ）３５との間にＧＳインタフェースが備えられているか否かを示す情報）が含まれている。
【００６１】
ここで、ＧＳインタフェースとは、図４に示すように移動通信交換局（ＭＳＣ）３３と汎用パケット無線サービスノード（ＳＧＳＮ）３５との間に設けられたインタフェース（ＧＳ  Ｉ／Ｆ）のことであり、回線交換機能部（ＣＳ  ｄｏｍａｉｎ）３１とパケット交換機能部（ＰＳ  ｄｏｍａｉｎ）３２とを結合するものである。
【００６２】
すなわち、移動機（ＵＥ）１側では、ＲＲＣコネクション上で通信網側から報知される報知情報に基づき、コアネットワーク（ＣＮ）３内にＧＳインタフェースが備えられているか否かを判断することが可能となる。そして、上記ＮＭＯを参照して、ＧＳインタフェースが備えられていれば、移動機（ＵＥ）１からコアネットワーク（ＣＮ）３に送信する信号は、回線交換機能部（ＣＳ  ｄｏｍａｉｎ）３１を宛先とするメッセージとパケット交換機能部（ＰＳ  ｄｏｍａｉｎ）３２を宛先とするメッセージとを一括してまとめて同時に送信することができる。
【００６３】
具体的には、図２及び図３において、回線交換機能部（ＣＳ  ｄｏｍａｉｎ）３１に対する位置情報更新要求信号（Ｓ３０５）を、パケット交換機能部（ＰＳｄｏｍａｉｎ）３２に対するアタッチ処理要求信号（Ｓ３０６）に含めて送信するといった結合処理（Ｃｏｍｂｉｎｅｄ処理）を実行することができる。これにより、各通信網における移動管理の位置情報の更新処理に要する時間をより一層短縮することができる。
【００６４】
但し、３ＰＰＧ  ＴＳ  ２３．０６０で規定されているＮｅｔｗｏｒｋ  Ｏｐｅｒａｔｉｏｎ  Ｍｏｄｅ  ｆｏｒ  ＵＭＴＳ（（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＩＭＴ−２０００の欧州規格）：移動通信交換局（ＭＳＣ）と汎用パケット無線サービスノード（ＳＧＳＮ）との間にＧＳインタフェースが備えられているか否かを示すモード）において、移動通信交換局（ＭＳＣ）と汎用パケット無線サービスノード（ＳＧＳＮ）との間にＧＳインターフェースが備えられていないモード（モードII）である場合、Ｃｏｍｂｉｎｅｄ  ｐｒｏｃｅｄｕｒｅ  ｂｙ  ＭＴ（（Ｍｏｂｉｌｅ  Ｔｅｒｍｉｎａｌ）：移動通信交換局（ＭＳＣ）と汎用パケット無線サービスノード（ＳＧＳＮ）との結合手続を行うためのモード）はＮｏ（非）と判断されるため、移動機（ＵＥ）１からコアネットワーク（ＣＮ）３に送信する信号は、回線交換機能部（ＣＳ  ｄｏｍａｉｎ）３１を宛先とするメッセージとパケット交換機能部（ＰＳ  ｄｏｍａｉｎ）３２を宛先とするメッセージとを結合処理（Ｃｏｍｂｉｎｅｄ処理）して送信することはできない。
【００６５】
かかる場合、移動機（ＵＥ）１からコアネットワーク（ＣＮ）３に送信する信号は、図２及び図３に示したように回線交換機能部（ＣＳ  ｄｏｍａｉｎ）３１とパケット交換機能部（ＰＳ  ｄｏｍａｉｎ）３２とを夫々宛先として個別にアタッチ処理や位置登録処理のメッセージを送信する必要がある。
【００６６】
なお、上記各実施の形態においては、回線交換機能部とパケット交換機能部との両者に対する上記メッセージの送信は、ＲＲＣコネクション上で同時に行っても良く、また時間的に連続して行っても良いものである。
【００６７】
【発明の効果】
叙上の如く、本発明によれば、ＲＲＣコネクション上で回線交換機能部とパケット交換機能部との両者を宛先としてアタッチ処理や位置登録処理のメッセージを夫々送信しているため、各通信網における移動管理の位置情報の更新処理を短時間で行うことができると共に、これ等の処理を移動機と無線アクセスネットワーク装置との間で確立された一度のＲＲＣコネクション上で行い、全ての処理が終了してからＲＲＣコネクションを解放することとしているため、移動機と無線基地局装置との間のトラヒックの混雑を緩和し、無線資源を有効に活用することができるという効果がある。
【図面の簡単な説明】
【図１】本発明の実施の形態における端末の構成を示すブロック図である。
【図２】本発明の実施の形態における移動通信システムのアタッチ処理、位置登録処理の動作を示すシーケンス図である。
【図３】本発明の実施の形態における移動通信システムのアタッチ処理、位置登録処理の動作を示すシーケンス図である。
【図４】Ｗ−ＣＤＭＡ移動通信システムの構成を示すブロック図である。
【図５】従来の移動通信システムにおけるアタッチ処理、位置登録処理の動作を示すシーケンス図である。
【符号の説明】
１  移動機（ＵＥ：Ｕｓｅｒ  Ｅｑｕｉｐｍｅｎｔ）
２  無線アクセスネットワーク装置（ＲＡＮ：Ｒａｄｉｏ  ＡｃｃｅｓｓＮｅｔｗｏｒｋ）
３  コアネットワーク（ＣＮ：Ｃｏｒｅ  Ｎｅｔｗｏｒｋ）
４  固定網／移動通信網
５  インターネット網
２１  無線基地局装置（ＢＴＳ：Ｂａｓｅ  Ｔｒａｎｓｃｅｉｖｅｒ  Ｓｔａｔｉｏｎ）
２２  無線ネットワーク制御装置（ＲＮＣ：Ｒａｄｉｏ  Ｎｅｔｗｏｒｋ  Ｃｏｎｔｒｏｌ  ｅｑｕｉｐｍｅｎｔ）
３１  回線交換機能部（ＣＳ：Ｃｉｒｃｕｉｔ  Ｓｗｉｔｃｈｅｄ  ｄｏｍａｉｎ）
３２  パケット交換機能部（ＰＳ：Ｐａｃｋｅｔ  Ｓｗｉｔｃｈｅｄ  ｄｏｍａｉｎ）
３３  移動通信交換局（ＭＳＣ：Ｍｏｂｉｌｅ−ｓｅｒｖｉｃｅｓ  Ｓｗｉｔｃｈｉｎｇ  Ｃｅｎｔｅｒ）
３４  ゲートウェイ装置
３５  汎用パケット無線サービスノード（ＳＧＳＮ：Ｓｅｒｖｉｎｇ  Ｇｅｎｅｒａｌ  ｐａｃｋｅｔ  ｒａｄｉｏ  ｓｅｒｖｉｃｅ  Ｓｕｐｐｏｒｔ  Ｎｏｄｅ）
３６  パケットゲートウェイ装置
１０１  電源入力手段
１０２  ＣＰＵ（Ｃｅｎｔｒａｌ  Ｐｒｏｃｅｓｓｉｎｇ  Ｕｎｉｔ：中央演算処理装置）
１０３  メモリ
１０４  ＲＲＣ（Ｒａｄｉｏ  Ｒｅｓｏｕｒｃｅ  Ｃｏｎｔｒｏｌ）コネクション確立／解放手段
１０５  位置情報更新要求信号生成手段
１０６  アタッチ処理要求信号生成手段
１０７  認証応答信号生成手段
１０８  秘匿応答信号生成手段
１０９  セキュリティーモード完了信号生成手段
１１０  移動機体番号再割当完了信号生成手段
１１１  アタッチ処理完了信号生成手段
【図１】
0004608830.tif 000002
【図２】
0004608830.tif 000003
【図３】
0004608830.tif 000004
【図４】
0004608830.tif 000005
【図５】
0004608830.tif 000006